(57)【要約】      （修正有）【課題】田畑の周囲に設置され、わかり易く簡単に裸電線を支持させることができる電気さく用電線支持具を提供する。【解決手段】弾性材料を巻いてコイルばね本体１Ｈとし、巻き始め側線条１ａを外縁に沿って巻き終わり方向へ折曲して巻き始め側ヒンジ部２ａとし、さらにこの巻き始め側ヒンジ部２ａの先端線条３ａを、同コイルばね本体１Ｈから外側に遠ざかる方向へ折曲し、延出し終わる巻き始め側終端５ａの終端には、輪穴形成部６ａを形成する。巻き始め側終端５ａ付近と巻き始め側アーム４ａとの空間を巻き始め側通し口７ａとする。コイルばね本体１Ｈの巻き終わり線条を外縁に沿って巻き始め方向へ折曲し巻き終わり側ヒンジ部２ｂとし、さらにこの巻き終わり側ヒンジ部２ｂの先端線条３ｂを、外側に遠ざかる方向とへ折曲し巻き終わり側アーム４ｂ１とし、下方へ延出し、巻き終わり側終端５ｂの終端には輪穴形成部６ｂを形成する。巻き終わり終端５ｂ付近と巻き終わり側斜めアーム４ｂ２との空間である巻き終わり側通し口７ｂを備える。【選択図】図３
0003186454.tif 000002
【実用新案登録請求の範囲】
【請求項１】
弾性材料を巻いてコイルばね本体１Ｈとし、
このコイルばね本体１Ｈの巻き始め側線条１ａをコイルばね本体１Ｈの外縁に沿ってコイルばね本体１Ｈの巻き終わり方向へ折曲して巻き始め側ヒンジ部２ａとし、さらにこの巻き始め側ヒンジ部２ａの先端線条３ａを、同コイルばね本体１Ｈから外側に遠ざかる方向へ折曲し延出して巻き始め側アーム４ａとし、さらにこの巻き始め側アーム４ａから折曲し延出し始めて延出し終わる巻き始め側終端５ａの終端面中心は巻き始め側アーム４ａの中心軸線よりも下方へ３ｍｍ以上離れたところに位置して輪穴形成部６ａとし、前記巻き始め側終端５ａ付近と前記巻き始め側アーム４ａとの２ｍｍ以内の空間を巻き始め側通し口７ａとし、
前記コイルばね本体１Ｈの巻き終わり線条１ｂをコイルばね本体１Ｈの外縁に沿ってコイルばね本体１Ｈの巻き始め方向へ折曲して巻き終わり側ヒンジ部２ｂとし、さらにこの巻き終わり側ヒンジ部２ｂの先端線条３ｂを、同コイルばね本体１Ｈから外側に遠ざかる方向とへ折曲し巻き終わり側アーム４ｂ１とし、この巻き終わり側アーム４ｂ１より下方へ延出して巻き終わり側斜めアーム４ｂ２とし、さらにこの巻き終わり側斜めアーム４ｂ２から折曲し延出し始めて延出し終わる巻き終わり側終端５ｂの終端面中心は巻き終わり側斜めアーム４ｂ２の中心軸線よりも下方へ３ｍｍ以上離れたところに位置して輪穴形成部６ｂとし、前記巻き終わり側終端５ｂ付近と前記巻き終わり側斜めアーム４ｂ２との２ｍｍ以内の空間を巻き終わり側通し口７ｂとを備える電気さく用電線支持具１。
【考案の詳細な説明】
【技術分野】
【０００１】  本考案は、田畑に猪、鹿等の害獣が侵入するのを防止するために、田畑の周囲に設置される電気さく用電線支持具に関するものである。
【背景技術】
【０００２】中山間地域の農村地帯の田畑に猪、鹿等の害獣が侵入するのを防止するために、田畑の周囲に裸電線を張り巡らし、この裸電線に衝撃電圧を印加するようにした電気さくが多く使用されている。
この害獣侵入防止用電気さくは、次の▲１▼〜▲４▼で構成される。
▲１▼支柱
▲２▼電線支持具
▲３▼裸電線
▲４▼衝撃電圧発生器
上記▲２▼電線支持具には、例えば特許文献１には、図１に示すような電気さく用電線支持具が記載されている。
特許文献１に記載の電気さく用電線支持具は、ワイヤ挿通可能な輪穴を有する腕部とを備えている。【０００３】
【先行技術文献】
【特許文献】
【０００４】
【特許文献１】実用新案公開昭６２−１２４１５１
【考案の概要】
【考案が解決しようとする課題】
【０００５】  しかし、特許文献１に記載の電気さく用電線支持具は、図２に示すように輪穴１３の上の隙間から裸電線を通した後、今度は他方の輪穴の下の隙間から裸電線を通さなければならなかった。
このよに、従来の電気さく用電線支持具は、人が裸電線を電気さく用電線支持具に支持させるためには、輪穴１３の上の隙間から裸電線を通した後、次は他方の輪穴の下の隙間から裸電線を通さなければならず、腕や手がなじめない動きとなり不便であったので、人がわかり易く簡単に裸電線を支持させることができる電気さく用電線支持具が求められていた。
本考案は、以上の点を鑑みて創案されたものであり、電気さく用電線支持具においてわかり易く簡単に裸電線を支持させることができる電気さく用電線支持具を提供することを目的とする。
【課題を解決するための手段】
【０００６】  上記の目的を達成するために、本考案の電気さく用電線支持具１は、弾性材料を巻いてコイルばね本体１Ｈとし、
このコイルばね本体１Ｈの巻き始め側線条１ａをコイルばね本体１Ｈの外縁に沿ってコイルばね本体１Ｈの巻き終わり方向へ折曲して巻き始め側ヒンジ部２ａとし、さらにこの巻き始め側ヒンジ部２ａの先端線条３ａを、同コイルばね本体１Ｈから外側に遠ざかる方向へ折曲し延出して巻き始め側アーム４ａとし、さらにこの巻き始め側アーム４ａから折曲し延出し始めて延出し終わる巻き始め側終端５ａの終端面中心は巻き始め側アーム４ａの中心軸線よりも下方へ３ｍｍ以上離れたところに位置して輪穴形成部６ａとし、前記巻き始め側終端５ａ付近と前記巻き始め側アーム４ａとの２ｍｍ以内の空間を巻き始め側通し口７ａとし、
前記コイルばね本体１Ｈの巻き終わり線条１ｂをコイルばね本体１Ｈの外縁に沿ってコイルばね本体１Ｈの巻き始め方向へ折曲して巻き終わり側ヒンジ部２ｂとし、さらにこの巻き終わり側ヒンジ部２ｂの先端線条３ｂを、同コイルばね本体１Ｈから外側に遠ざかる方向とへ折曲し巻き終わり側アーム４ｂ１とし、この巻き終わり側アーム４ｂ１より下方へ延出して巻き終わり側斜めアーム４ｂ２とし、さらにこの巻き終わり側斜めアーム４ｂ２から折曲し延出し始めて延出し終わる巻き終わり側終端５ｂの終端面中心は巻き終わり側斜めアーム４ｂ２の中心軸線よりも下方へ３ｍｍ以上離れたところに位置して輪穴形成部６ｂとし、前記巻き終わり側終端５ｂ付近と前記巻き終わり側斜めアーム４ｂ２との２ｍｍ以内の空間を巻き終わり側通し口７ｂとを備える。【０００７】ここで、本考案の電気さく用電線支持具１の、先端線条３ａを、同コイルばね本体１Ｈから外側に遠ざかる方向へ折曲し延出して巻き始め側アーム４ａとし、さらにこの巻き始め側アーム４ａから折曲し延出し始めて延出し終わる巻き始め側終端５ａの終端面中心は巻き始め側アーム４ａの中心軸線よりも下方へ３ｍｍ以上離れたところに位置して輪穴形成部６ａとし、前記巻き始め側終端５ａ付近と前記巻き始め側アーム４ａとの２ｍｍ以内の空間を巻き始め側通し口７ａと、
かつ、先端線条３ｂを、同コイルばね本体１Ｈから外側に遠ざかる方向とへ折曲し巻き終わり側アーム４ｂ１とし、この巻き終わり側アーム４ｂ１より下方へ延出して巻き終わり側斜めアーム４ｂ２とし、さらにこの巻き終わり側斜めアーム４ｂ２から折曲し延出し始めて延出し終わる巻き終わり側終端５ｂの終端面中心は巻き終わり側斜めアーム４ｂ２の中心軸線よりも下方へ３ｍｍ以上離れたところに位置して輪穴形成部６ｂとし、前記巻き終わり側終端５ｂ付近と前記巻き終わり側斜めアーム４ｂ２との２ｍｍ以内の空間を巻き終わり側通し口７ｂとによって、
人が裸電線Ｗを電気さく用電線支持具１に支持させるために、裸電線を巻き始め側通し口７ａと巻き終わり側通し口７ｂに差し入れるだけで、裸電線Ｗは電気さく用電線支持具１に支持される。
【考案の効果】
【０００８】  本考案に係る電気さく用電線支持具１は、人がわかり易く簡単に裸電線Ｗを支持することができる。
【図面の簡単な説明】
【０００９】
【図１】従来の電気さく用電線支持具を支柱に固定して裸電線を支持した参考図である。
【図２】従来の電気さく用電線支持具の片方の輪穴１３に裸電線を支持した参考図である。
【図３】本考案の電気さく用電線支持具の参考図である。
【図４】本考案の電気さく用電線支持具の輪穴形成部６ａ、６ｂに力を与えていない参考図である。
【図５】本考案の電気さく用電線支持具の輪穴形成部６ａ、６ｂに矢印の方向に力を与えた参考図である。
【図６】本考案の電気さく用電線支持具を支柱に通す前の参考図である。
【図７】本考案の電気さく用電線支持具を支柱に通している参考図である。
【図８】本考案の電気さく用電線支持具を支柱の任意の場所に固定した参考図である。
【図９】本考案の電気さく用電線支持具の片方の巻き始め側通し口に裸電線を差し入れる前の参考図である。
【図１０】本考案の電気さく用電線支持具の巻き始め側通し口に裸電線を差し入れ始めた参考図である。
【図１１】本考案の電気さく用電線支持具の巻き始め側通し口を裸電線が通り抜けて輪穴形成部に遊架支持された参考図である。
【図１２】本考案の電気さく用電線支持具の残る他方の巻き終わり側通し口に裸電線を差し入れる前の参考図である。
【図１３】本考案の電気さく用電線支持具の巻き終わり側通し口に裸電線を差し入れ始めた参考図である。
【図１４】本考案の電気さく用電線支持具の巻き終わり側通し口を裸電線が通り抜けて輪穴形成部に遊架支持された参考図である。
【考案を実施するための形態】
【００１０】  以下、本考案の実施の形態について図面を参照しながら説明し、本考案の理解に供する。
１．本考案の電気さく用電線支持具１を支柱１４に固定するには、下記の手順で行う。
図３〜６に示すように、本考案の電気さく用電線支持具１は弾性材料を巻いてコイルばね本体１Ｈとし、
このコイルばね本体１Ｈの巻き始め側線条１ａをコイルばね本体１Ｈの外縁に沿ってコイルばね本体１Ｈの巻き終わり方向へ折曲して巻き始め側ヒンジ部２ａとし、さらにこの巻き始め側ヒンジ部２ａの先端線条３ａを、同コイルばね本体１Ｈから外側に遠ざかる方向へ折曲し延出して巻き始め側アーム４ａとし、さらにこの巻き始め側アーム４ａから折曲し延出し始めて延出し終わる巻き始め側終端５ａの終端面中心は巻き始め側アーム４ａの中心軸線よりも下方へ３ｍｍ以上離れたところに位置して輪穴形成部６ａとし、
前記コイルばね本体１Ｈの巻き終わり線条１ｂをコイルばね本体１Ｈの外縁に沿ってコイルばね本体１Ｈの巻き始め方向へ折曲して巻き終わり側ヒンジ部２ｂとし、さらにこの巻き終わり側ヒンジ部２ｂの先端線条３ｂを、同コイルばね本体１Ｈから外側に遠ざかる方向とへ折曲し巻き終わり側アーム４ｂ１とし、この巻き終わり側アーム４ｂ１より下方へ延出して巻き終わり側斜めアーム４ｂ２とし、さらにこの巻き終わり側斜めアーム４ｂ２から折曲し延出し始めて延出し終わる巻き終わり側終端５ｂの終端面中心は巻き終わり側斜めアーム４ｂ２の中心軸線よりも下方へ３ｍｍ以上離れたところに位置して輪穴形成部６ｂとしているので、
図４に示すようにコイルばね本体の内径ＮＫは例えば１４ｍｍであるが、図５に示すように、輪穴形成部６ａ、６ｂに矢印の方向に力を加えるとコイルばね本体の内径ＮＫＤは例えば１５ｍｍに広がるので、
▲１▼図６に示すように、直径が例えば１４ｍｍの支柱に本考案の電気さく用電線支持具１を通すときには、輪穴形成部６ａ、６ｂをつまんでコイルばね本体の内径を１５ｍｍに広げる。
▲２▼次に、図７に示すように支柱１４に本考案の電気さく用電線支持具１を通す。
▲３▼次に、図８に示すように支柱１４の任意の位置で本考案の電気さく用電線支持具１から手を離すと電気さく用電線支持具１はその位置で支柱１４に固定される。
【００１１】  ２．本考案の電気さく用電線支持具１で裸電線Ｗを支持するには、下記の手順で行う。
図３に示すように、本考案の電気さく用電線支持具１は、巻き始め側ヒンジ部２ａの先端線条３ａを、同コイルばね本体１Ｈから外側に遠ざかる方向へ折曲し延出して巻き始め側アーム４ａとし、さらにこの巻き始め側アーム４ａから折曲し延出し始めて延出し終わる巻き始め側終端５ａの終端面中心は巻き始め側アーム４ａの中心軸線よりも下方へ３ｍｍ以上離れたところに位置して輪穴形成部６ａとし、前記巻き始め側終端５ａ付近と前記巻き始め側アーム４ａとの２ｍｍ以内の空間を巻き始め側通し口７ａとし、
巻き終わり側ヒンジ部２ｂの先端線条３ｂを、同コイルばね本体１Ｈから外側に遠ざかる方向とへ折曲し巻き終わり側アーム４ｂ１とし、この巻き終わり側アーム４ｂ１より下方へ延出して巻き終わり側斜めアーム４ｂ２とし、さらにこの巻き終わり側斜めアーム４ｂ２から折曲し延出し始めて延出し終わる巻き終わり側終端５ｂの終端面中心は巻き終わり側斜めアーム４ｂ２の中心軸線よりも下方へ３ｍｍ以上離れたところに位置して輪穴形成剖６ｂとし、前記巻き終わり側終端５ｂ付近と前記巻き終わり側斜めアーム４ｂ２との２ｍｍ以内の空間を巻き終わり側通し口７ｂとを備えるので、
▲１▼図９に示すように、本考案の電気さく用電線支持具１の片方の巻き始め側通し口７ａの近くに裸電線Ｗを持ってくる。
▲２▼次に、図１０に示すように、裸電線Ｗを巻き始め側通し口７ａに差し入れ始める。
▲３▼次に、図１１に示すように、裸電線Ｗは巻き始め側通し口７ａを通り抜けて輪穴形成部６ａ内に遊架支持される。
▲４▼次に、図１２に示すように、本考案の電気さく用電線支持具１の他方の巻き終わり側通し口７ｂの近くに裸電線Ｗを持ってくる。
▲５▼次に、図１３に示すように、裸電線Ｗを巻き終わり側通し口７ｂに差し入れ始める。
▲６▼次に、図１４に示すように、裸電線Ｗは巻き終わり側通し口７ｂを通り抜けて輪穴形成部６ｂ内に遊架支持される。
【００１１】  以上のように、本考案の電気さく用電線支持具１は巻き始め側ヒンジ部２ａの先端線条３ａを、同コイルばね本体１Ｈから外側に遠ざかる方向へ折曲し延出して巻き始め側アーム４ａとし、さらにこの巻き始め側アーム４ａから折曲し延出し始めて延出し終わる巻き始め側終端５ａの終端面中心は巻き始め側アーム４ａの中心軸線よりも下方へ３ｍｍ以上離れたところに位置して輪穴形成部６ａとし、前記巻き始め側終端５ａ付近と前記巻き始め側アーム４ａとの２ｍｍ以内の空間を巻き始め側通し口７ａとし、
巻き終わり側ヒンジ部２ｂの先端線条３ｂを、同コイルばね本体１Ｈから外側に遠ざかる方向とへ折曲し巻き終わり側アーム４ｂ１とし、この巻き終わり側アーム４ｂ１より下方へ延出して巻き終わり側斜めアーム４ｂ２とし、さらにこの巻き終わり側斜めアーム４ｂ２から折曲し延出し始めて延出し終わる巻き終わり側終端５ｂの終端面中心は巻き終わり側斜めアーム４ｂ２の中心軸線よりも下方へ３ｍｍ以上離れたところに位置して輪穴形成部６ｂとし、前記巻き終わり側終端５ｂ付近と前記巻き終わり側斜めアーム４ｂ２との２ｍｍ以内の空間を巻き終わり側通し口７ｂとを備えるので、
裸電線Ｗを輪穴形成部６ａ、６ｂ内に遊架支持するには、裸電線Ｗを巻き始め側通し口７ａと巻き終わり側通し口７ｂに差しいれるだけでよい。
よって、本考案の電気さく用電線支持具１は、人がわかり易く簡単に裸電線Ｗを遊架支持することができる。
【符号の説明】
【００１２】  １      本考案の電気さく用電線支持具
１Ｈ    コイルばね本体
１ａ    巻き始め側線条
１ｂ    巻き終り側線条
２ａ    巻き始め側ヒンジ部
２ｂ    巻き終り側ヒンジ部
３ａ    先端線条（巻き始め側）
３ｂ    先端線条（巻き終り側）
４ａ    巻き始め側アーム
４ｂ１  巻き終り側アーム
４ｂ２  巻き終り側斜めアーム
５ａ    巻き始め側終端
５ｂ    巻き終わり側終端
６ａ    輪穴形成部（巻き始め側）
６ｂ    輪穴形成部（巻き終わり側）
７ａ    巻き始め側通し口
７ｂ    巻き終わり側通し口
ＮＫ    内径
ＮＫＤ  内径大
１０      従来の電気さく用電線支持具
１１      胴部
１２      腕部
１２ａ    湾曲部
１３      輪穴
１４      支柱
Ｗ      ワイヤ、裸電線
0003186454.tif 000003
【手続補正書】
【提出日】平成25年6月28日(2013.6.28)
【手続補正１】
【補正対象書類名】図面
【補正対象項目名】全図
【補正方法】変更
【補正の内容】
【図１】
0003186454.tif 000004
【図２】
0003186454.tif 000005
【図３】
0003186454.tif 000006
【図４】
0003186454.tif 000007
【図５】
0003186454.tif 000008
【図６】
0003186454.tif 000009
【図７】
0003186454.tif 000010
【図８】
0003186454.tif 000011
【図９】
0003186454.tif 000012
【図１０】
0003186454.tif 000013
【図１１】
0003186454.tif 000014
【図１２】
0003186454.tif 000015
【図１３】
0003186454.tif 000016
【図１４】
0003186454.tif 000017